(57)【要約】【課題】均一な光を照射することができる光源装置、これに用いられるライトガイド、当該光源装置を搭載した電子機器を提供すること。【解決手段】ライトガイド３は、直線状に配列された複数の発光素子２からの光を入射する入射面７と、集光可能な形状に形成され、入射面７から入射された光を出射する出射面６と、折れるように設けられ、かつ、入射面７から出射面６に向かうにしたがい徐々に体積が増えるように設けられた導光部９とを具備する。この導光部９により、入射面７から入射して拡散する光を、効率良く導光させ均一に出光させることができる。【選択図】図２
2008123766.tif 000002
【特許請求の範囲】
【請求項１】
直線状に配列された複数の発光素子からの光を入射する入射面と、
集光可能な形状に形成され、前記入射面から入射された前記光を出射する出射面と、
折れるように設けられ、かつ、前記入射面から前記出射面に向かうにしたがい徐々に体積が増えるように設けられた導光部と
を具備することを特徴とするライトガイド。
【請求項２】
請求項１に記載のライトガイドであって、
前記出射面は、ブラスト加工された面であることを特徴とするライトガイド。
【請求項３】
請求項１に記載のライトガイドであって、
前記導光部は、
前記照射対象物が配置される側とは反対側に配置され、１２０°〜１５０°で折れるように設けられた側面を有することを特徴とするライトガイド。
【請求項４】
請求項１に記載のライトガイドであって、
前記出射面は、
前記複数の発光素子の配列方向に沿って、複数の集光面を有することを特徴とするライトガイド。
【請求項５】
請求項１に記載のライトガイドであって、
前記入射面は、光の発散形状に形成されていることを特徴とするライトガイド。
【請求項６】
直線状に配列された複数の発光素子からの光を入射する入射面と、
集光可能な形状に形成され、前記入射面から入射された前記光を、前記光の照射対象物に向けて出射する出射面と、
前記照射対象物が配置される側に設けられた第１の側面と、前記照射対象物が配置される側とは反対側に配置され、第１の角度で折れるように設けられた第２の側面とを有し、前記入射面から前記出射面へ前記光を導く導光部と
を具備することを特徴とするライトガイド。
【請求項７】
請求項６に記載のライトガイドであって、
前記第１の側面は、
前記入射面に接続された第１の反射面と、
前記第１の角度より小さい第２の角度で前記第１の反射面に接続され、前記出射面に接続された第２の反射面と
を有することを特徴とするライトガイド。
【請求項８】
請求項７に記載のライトガイドであって、
前記第２の側面は、
前記入射面に接続され、前記入射面から離れるにしたがい前記第１の反射面から徐々に離れるように設けられた第３の反射面を有することを特徴とするライトガイド。
【請求項９】
請求項７に記載のライトガイドであって、
前記導光部は、
前記第１の反射面と前記第２の反射面との間で、前記第１の側面から窪むように形成され、前記入射面から前記出射面へ通る光束の一部を遮るシャッター部を有することを特徴とするライトガイド。
【請求項１０】
直線状に配列された複数の発光素子と、
前記複数の発光素子からの光を入射する入射面と、集光可能な形状に形成され、前記入射面から入射された前記光を出射する出射面と、折れるように設けられ、かつ、前記入射面から前記出射面に向かうにしたがい徐々に体積が増えるように設けられた導光部とを有するライトガイドと
を具備することを特徴とする光源装置。
【請求項１１】
直線状に配列された複数の発光素子と、
前記複数の発光素子からの光を入射する入射面と、集光可能な形状に形成され、前記入射面から入射された前記光を出射する出射面と、折れるように設けられ、かつ、前記入射面から前記出射面に向かうにしたがい徐々に体積が増えるように設けられた導光部とを有するライトガイドと、
前記出射面から出射された前記光の照射対象物からの反射光を受けて電気信号に変換する光電変換素子と
を具備することを特徴とする電子機器。
【発明の詳細な説明】
【技術分野】
【０００１】
本発明は、発光素子からの光を案内して線状に発光させるためのライトガイド、これを用いた光源装置及び電子機器に関する。
【背景技術】
【０００２】
従来から、画像等を読み取るためのスキャナや複合機等の光源として、ＣＣＦＬ（Cold Cathode Fluorescent Lighting(Lamp)）が用いられている。昨今では、装置本体の薄型化または小型化を実現するために、画像の読み取り部にＣＩＳ（Contact Image Sensor）が用いられた機器が登場している（例えば、特許文献１参照。）。ＣＩＳは、光源としてＬＥＤ（Light Emitting Diode）を有しており、これにより小型化が達成される。また、ＣＣＦＬに代えてＬＥＤが用いられることにより、装置の起動時間の短縮化、低消費電力化、水銀レス化等の環境対策における利点もある。
【０００３】
【特許文献１】特開２００４−７２１５２号公報（段落[００２６]、図１）
【発明の開示】
【発明が解決しようとする課題】
【０００４】
ＬＥＤ等の固体発光素子がスキャナの光源として用いられる場合、発光素子からの光を均一に読み取りの対象物に導くライトガイドを利用することが考えられる。この場合、ライトガイドは、線状であることが現実的であり、この線状のライトガイドを含む光源装置が移動することにより、読み取り対象物の全体に光を照射することができる。
【０００５】
この場合において、ライトガイドの一端側または両端側から発光素子の光が入射される場合、光量の均一化が困難となり、光量も足りない。光量を増やすために多数の発光素子を用いる場合には、その分装置が大型化するおそれもあり、また、配光ムラの問題も残る。
【０００６】
以上のような事情に鑑み、本発明の目的は、均一な光を照射することができる光源装置、これに用いられるライトガイド、当該光源装置を搭載した電子機器を提供することにある。
【０００７】
本発明の別の目的は、スキャナ等の電子機器の小型化または薄型化を達成することにある。
【課題を解決するための手段】
【０００８】
上記目的を達成するため、本発明に係るライトガイドは、直線状に配列された複数の発光素子からの光を入射する入射面と、集光可能な形状に形成され、前記入射面から入射された前記光を出射する出射面と、折れるように設けられ、かつ、前記入射面から前記出射面に向かうにしたがい徐々に体積が増えるように設けられた導光部とを具備する。
【０００９】
本発明では、導光部は徐々に体積が増えるように設けられているので、入射面から入射して拡散する光を、導光部により効率良く導光させ、出射面から集光させて光を出射させる。また、導光部が適切な角度で折れるように設けられていれば、入射面から入射した光が所望の角度に変えられて出射する。これにより、ライトガイドの光路長をできるだけ長くしながら、光を拡散させて均一な光を照射することができるとともに、ライトガイド及びこれが搭載される電子機器の小型化または薄型化を実現することができる。
【００１０】
「折れるように」とは、折れ目がはっきり表れるような形状もよいし、折れ目がはっきりせず多少曲がるように形成されていてもよい。
【００１１】
本発明において、前記出射面は、ブラスト加工された面である。これにより、出射面で集光させて出射させつつ、光を散乱させることができる。その結果、照射対象物に光がより均一に照射される。
【００１２】
本発明において、前記導光部は、前記照射対象物が配置される側とは反対側に配置され、１２０°〜１５０°で折れるように設けられた側面を有する。このような範囲の角度であれば、側面からの光の漏れを抑えることができる。その結果、出射面から出射する光量を多くすることができる。
【００１３】
本発明において、前記出射面は、前記複数の発光素子の配列方向に沿って、複数の集光面を有する。これにより、出射面からの出射光の均一化に寄与する。
【００１４】
本発明において、前記入射面は、光の発散形状に形成されている。これにより、入射面からの入射光を効率良く発散させることができ、光の均一化に寄与する。
【００１５】
本発明の他の観点に係るライトガイドは、直線状に配列された複数の発光素子からの光を入射する入射面と、集光可能な形状に形成され、前記入射面から入射された前記光を、前記光の照射対象物に向けて出射する出射面と、前記照射対象物が配置される側に設けられた第１の側面と、前記照射対象物が配置される側とは反対側に配置され、第１の角度で折れるように設けられた第２の側面とを有し、前記入射面から前記出射面へ前記光を導く導光部とを具備する。
【００１６】
本発明では、第１の角度で折れるように設けられた第２の側面が設けられることにより、光路長をできるだけ長くすることができる。これにより、入射面から入射して拡散する光を均一化させることができるとともに、入射面からの光の角度が変えられて出射するので、ライトガイド及び電子機器の小型化が実現される。また、出射面から集光させて光を出射させることができ、線状の光を効率良く出射させることができる。
【００１７】
本発明において、前記第１の側面は、前記入射面に接続された第１の反射面と、前記第１の角度より小さい第２の角度で前記第１の反射面に接続され、前記出射面に接続された第２の反射面とを有する。出射面の集光形状、第１の角度、第２の角度が適切に設定されることにより、出射面に向かう光が適度に広がり、集光形状の出射面において実質的に平行光にすることができる。これにより、形の良い、つまり正確な線形状の光を照射することができる。
【００１８】
本発明において、前記第２の側面は、前記入射面に接続され、前記入射面から離れるにしたがい前記第１の反射面から徐々に離れるように設けられた第３の反射面を有する。これにより、入射面から入射して拡散する光束の光量を無駄にすることなく導光させることができる。
【００１９】
本発明において、前記導光部は、前記第１の反射面と前記第２の反射面との間で、前記第１の側面から窪むように形成され、前記入射面から前記出射面へ通る光束の一部を遮るシャッター部を有する。これにより、出射面の端部から広がって出射しようとする余分な光を、出射面の端部より内側の領域から出射させることができる。
【００２０】
本発明に係る光源装置は、直線状に配列された複数の発光素子と、前記複数の発光素子からの光を入射する入射面と、集光可能な形状に形成され、前記入射面から入射された前記光を出射する出射面と、折れるように設けられ、かつ、前記入射面から前記出射面に向かうにしたがい徐々に体積が増えるように設けられた導光部とを有するライトガイドとを具備する。
【００２１】
本発明に係る電子機器は、直線状に配列された複数の発光素子と、前記複数の発光素子からの光を入射する入射面と、集光可能な形状に形成され、前記入射面から入射された前記光を出射する出射面と、折れるように設けられ、かつ、前記入射面から前記出射面に向かうにしたがい徐々に体積が増えるように設けられた導光部とを有するライトガイドと、前記出射面から出射された前記光の照射対象物からの反射光を受けて電気信号に変換する光電変換素子とを具備する。
【発明の効果】
【００２２】
以上のように、本発明によれば、光の照射対象物に均一な光を照射することができる。また、ライトガイド、光源装置及び電子機器の小型化または薄型化を図ることができる。
【発明を実施するための最良の形態】
【００２３】
以下、本発明の実施の形態を図面を参照しながら説明する。
【００２４】
図１は、本発明の一実施の形態に係る光源装置を示す斜視図である。図２は、図１に示す矢印Ａの方向で見た光源装置１０の図である。図３は、この光源装置１０の一部を示す平面図である。
【００２５】
図１及び図３に示すように、光源装置１０は、一方向（Ｘ方向）に直線状に配置された複数の発光素子２と、この発光素子２から発せられた光を所定の方向に導くライトガイド３とを備えている。発光素子２は、例えばプリント配線基板８に搭載されている。複数の発光素子２の１つには、赤、緑及び青（ＲＧＢ）の３つの発光源を有するＬＥＤが用いられる。発光素子２は、これらの各色の光が合成された白色を発光する。
【００２６】
しかし、１つの発光素子２が、単色の１つの発光源、または単色の複数の発光源を有する構成であってもよい。その場合、発光素子２ごとに、例えばＲＧＢ異なる色の光を発光し、これら各色の光がライトガイド３により混合される。ＬＥＤとしては、無機ＬＥＤ、有機ＬＥＤのどちらでもよい。
【００２７】
図４は、図１〜図３に示した光源装置１０が組み込まれたキャリッジを示す断面図である。図５は、このキャリッジ２１を搭載した電子機器として、例えばスキャナ装置を示す斜視図である。スキャナ装置１００は、書類や写真等、光の照射対象物２２（図２、図４参照）が載置される載置面２３を有する本体２４と、本体２４に開閉可能に装着されたカバー２５とを備えている。載置面２３は、例えば光の透過率が高いガラスや樹脂等でなる。本体２４の内部には、載置面２３に載置された照射対象物２２の全面を読み取るために、キャリッジ２１を直線方向（Ｙ方向）の移動させる図示しないモータ等が設けられている。さらに、本体２４の内部には、キャリッジ２１の移動をガイドするガイドレール１９も設けられている。ガイドレール１９は、例えば図４に示すように、キャリッジ２１の下部に接続されている。なお、スキャナ装置１００の構成は、図に示したような構成に限られず、適宜設計の変更が可能である。
【００２８】
図４に示すように、このキャリッジ２１内には、上記光源装置１０と、複数のミラー１１、１２、１３、１４、１５と、結像のためのレンズ系１６と、光路長調整素子１７と、イメージセンサ（光電変換素子）１８とが設けられている。光源装置１０からイメージセンサ１８までの光路長をできるだけ長くとるため、このように複数のミラー１１〜１５が配置される。これらのミラー１１〜１５は、Ｘ方向に長尺形状を有している。レンズ系１６は、複数のレンズで構成されることが多い。光路長調整素子１７は、例えば赤外光と通常光の光路差を調整する。イメージセンサ１８としては、例えばＣＣＤが用いられる。必ずしもＣＣＤでなくとも、ＣＭＯＳ（Complementary Metal-Oxide Semiconductor）センサであってもよい。イメージセンサ１８の種類に応じて、キャリッジ２１内の光学系の構成も適宜変更可能である。
【００２９】
図６は、キャリッジ２１内の光学系の原理を示す図である。ライトガイド３の後述する出射面６から出射された線状の光は、照射対象物２２に照射され、その反射光が、各ミラー（図４参照）１１〜１５で反射し、レンズ系１６を介してイメージセンサ１８に入射する。
【００３０】
図２に示すように、ライトガイド３は、複数の発光素子２からの光が入射する入射面７と、入射面７から入射した光を出射する集光可能な形状に形成された出射面６と、入射面７からの光を出射面６まで導く導光部９とを有する。
【００３１】
入射面７は、例えば平面に形成されている。入射面７のＺ方向の幅（高さ方向の幅）ｗ１は、発光素子２の発光する側面と実質的に同じ幅、あるいは、それよりわずかに小さい幅に設計されている。このような構成により、出射面６から出射される光に暗線が混じることを防止することができ、光の均一化に寄与する。
【００３２】
導光部９は、折れるように設けられ、入射面７から出射面６に向かうにしたがい徐々に体積が増えるような形状となっている。「折れるように」とは、図２のように折れ目がはっきり表れるような形状もよいし、あるいは、折れ目がはっきりせず曲面形状に形成されていてもよい意味である。
【００３３】
導光部９は、照射対象物２２が配置される側に設けられた第１の側面４と、照射対象物２２が配置される側とは反対側に配置された第２の側面５とを有する。第１の側面４は、第１の反射面４ａと、第２の反射面４ｂとで構成される。第２の側面５は、第３の反射面５ａと第４の反射面５ｂとで構成される。第３の反射面５ａ及び第４の反射面５ｂのなす角度θ１と、第１の反射面４ａ及び第２の反射面４ｂのなす角度θ２との関係は、θ１>θ２となっている。つまり、このような関係により、導光部９は、入射面７から出射面６に向かうにしたがい徐々に体積が増えるような形状となっている。さらに換言すれば、第１の反射面４ａは入射面７から離れるにしたがい徐々に第３の反射面５ａから離れるように設けられている。第２の反射面４ｂも、入射面７から離れるにしたがい徐々に第４の反射面５ｂから離れるように設けられている。なお、ここで言う角度とは、水平面Ｘ−Ｙからなす角度という。
【００３４】
特に、θ１は、１２０°〜１５０°とされている。典型的にはθ１は１４２°である。θ２は、θ１より小さい角度であればよく、特に限定されない。後述する出射面６の曲率半径が適切な値となるように、つまり、所望の光束及び光量で出射されるような曲率半径値となるように、θ１やθ２が設定される。
【００３５】
出射面６は、シリンドリカル形状でなる。しかし、シリンドリカル形状に限られず、図２の方向で見て、出射面６の形状が楕円状の線、双曲線等でなっていてもよい。また、出射面６はブラスト加工されていてもよい。ブラスト加工により、出射面６で集光させて出射させつつ、光を散乱させることができる。その結果、照射対象物２２に光がより均一に照射される。図３に示すように、各発光素子２間のピッチｐ１が、図２の破線で示す光路長ｈより長い場合、光ムラの懸念があるが、ブラスト加工により光の均一化が促進される。その結果、光路長ｈをピッチｐ１より短くすることができ、ライトガイド３の薄型化または小型化を図ることができる。ピッチｐ１は、９〜１２ｍｍ程度とされるが、発光素子の大きさ、その他の設計により適宜変更可能である。出射面６の曲率半径は、例えば２〜４ｍｍ程度とされるが、これに限られない。
【００３６】
図７は、このライトガイド３を通る光線をシミュレーションにより表した図である。この図から分かるように、入射面７から入射した光線のほとんどが第１及び第２の側面４及び５で全反射して、出射面６から出射するので、出射光量を多くすることができる。角度θ１、θ２が上記したような適切な値に設定されることにより、このような光線を実現することができる。
【００３７】
また、出射面６の形状、θ１、θ２の値により、導光部９において、出射面６に向かう光が適度に広がり、集光形状の出射面６により実質的に平行光にすることができる。これにより、形の良い、つまり正確な線形状の光を照射することができる。
【００３８】
図８は、本実施の形態に係る光源装置１０の照度分布特性を模式的に示した図である。図８において、照度分布ｄ１は、光源装置１０の長手方向に沿って均一な分布となる。
【００３９】
図９は、例えば導光板３２の両端に発光素子２がある場合の照度分布を模式的に示した図である。この例では、照度分布ｄ２は中央が最も強くなる分布をしている。図１０は、例えば導光板３２の直下に複数の発光素子２がある場合の照度分布を模式的に示した図である。この例では、照度分布ｄ３は発光素子ごとの強弱が見られる。図９及び図１０に示す例では、均一な照度分布が得られない。
【００４０】
以上のように、本実施の形態では、導光部９が徐々に体積が増えるように設けられているので、入射面７から入射して拡散する光を、導光部９により効率良く導光させて出光させることができる。すなわち、入射面７から入射して拡散する光束の光量を無駄にすることなく導光させることができる。
【００４１】
また、導光部９が折れるように設けられていることにより、入射面７から入射した光が所望の角度に変えられて出射する。これにより、ライトガイド３の光路長ｈをできるだけ長くしながら、光を拡散させて均一な光を照射することができるとともに、ライトガイド３及びこれが搭載されるスキャナ装置１００の小型化または薄型化を実現することができる。しかしながら、光路長ｈは、ピッチｐ１（図３参照）より短くすることができることは既に述べたとおりである。
【００４２】
本実施の形態では、拡散シート等を介していないため、製造コストの上昇を抑えることができるとともに、光源装置１０、スキャナ装置１００の小型化に寄与する。
【００４３】
図１１（Ａ）及び（Ｂ）は、従来のＣＣＦＬ及びＬＥＤによる初動時間をそれぞれ示すグラフである。各グラフの縦軸は光の強度を表し、横軸は電源が導入されてからの時間経過（単位：秒）を表す。このように、一般的にはＬＥＤはＲＧＢの強度差はあるものの、初動時間はＣＣＦＬに比べ断然短い。
【００４４】
図１２は、本発明の他の実施の形態に係る光源装置であって、この光源装置３０を横から示す図である。これ以降の説明では、図２等に示した実施の形態に係る光源装置１０の構成や機能等について同様のものは説明を簡略または省略し、異なる点を中心に説明する。
【００４５】
本実施の形態に係るライトガイド３３は、第１の反射面３４ａと第２の反射面３４ｂとの間で、第１の側面３４から窪むように形成されたシャッター部３４ｃを備えている。シャッター部３４ｃは、入射面３７から出射面３６へ通る光束の一部を遮る機能を有する。図１３は、このライトガイド３３を通る光線をシミュレーションにより表した図である。このように、シャッター部３４ｃが設けられていても、図２に示したライトガイド３と同等の効果を得ることができる。シャッター部３４ｃがない場合、図１４の破線で示す光線のように、第３の反射面３５ａで反射した入射光は、出射面３６の端部から広がって出射しようとする。本実施の形態に係るライトガイド３３では、第３の反射面３５ａで反射した入射光がシャッター部３４ｃで反射し、出射面３６の端部ではなく中央部の領域から出射させることができる。
【００４６】
図１５（Ａ）は、そのようなシャッター部３４ｃが設けられたライトガイド３３について、上記角度θ１が１５０°より大きく設定されたライトガイドを通る光線をシミュレーションにより表した図である。同じく、図１５（Ｂ）は、そのようなシャッター部３４ｃが設けられたライトガイドについて、角度θ１が１２０°より小さく設定されたシミュレーション図である。このように、１２０°〜１５０°以外の範囲では、光の漏れが大きくなることが分かる。
【００４７】
なお、図１５（Ａ）及び図１５（Ｂ）では、シャッター部３４ｃが設けられたライトガイドについてシミュレーションした。しかし、シャッター部３４ｃがないライトガイドについても、θ１が適切な角度範囲内にない場合、同様に光の漏れが生じる。
【００４８】
図１６は、本発明のさらに別の実施の形態に係る光源装置の一部を示す平面図である。この光源装置５０のライトガイド４３の出射面４６には、複数の発光素子２の配列方向に沿って、複数の集光面４６ａが形成されている。この例では、１つ１つの発光素子２に対応して集光面４６ａがそれぞれ形成されている。しかし、必ずしも１つの発光素子２に１つの集光面が対応していなくてもよく、例えば２以上の発光素子２に１つの集光面４６ａが対応していてもよい。この集光面４６ａは、球面、トロイダル面等に形成することができる。このライトガイド４３を横から見た場合、図２または図１２に示したライトガイド３または３３と同様の形状になる。
【００４９】
このような複数の集光面４６ａが設けられることにより、出射面４６からの出射光の均一化に寄与する。
【００５０】
図１７は、本発明のさらに別の実施の形態に係る光源装置の一部を示す平面図である。この光源装置７０のライトガイド５３の入射面５７は、光を発散させるための形状、例えばプリズムが形成されている。プリズムの大きさは、適宜設計可能である。発散形状としては、プリズム以外にも、各発光素子２に対応して凹面が形成されていてもよい。これにより、入射面５７からの入射光を効率良く発散させることができ、光の均一化に寄与する。
【００５１】
図１８は、本発明のさらに別の実施形態に係る光源装置の一部を示す平面図である。この光源装置９０の各発光素子２は、ライトガイド６３の端部６３ａに取り付けられた発光素子２ほど、その発光面が内側へ向くように配置されている。これにより、ライトガイド６３の端部６３ａにおける照度の低下をより軽減でき、したがって、当該端部６３ａの照度をより均一に維持することができる。
【００５２】
図１９（Ａ）は、図１８に示した光源装置９０の左側半分の照度分布を示す図である。光源装置９０の右側半分も、これと対称な照度分布となり、全体では左右へ広がりの少ない分布となる。ちなみに図１９（Ｂ）は、図３に示した光源装置１０の照度分布を示す図である。
【００５３】
本発明に係る実施の形態は、以上説明した実施の形態に限定されず、他の種々の実施形態が考えられる。
【００５４】
上記各実施の形態に係る光源装置１０、３０、５０、７０、９０のうち少なくとも２つが組み合わされてもよい。
【００５５】
電子機器として、スキャナ装置１００単体を示したが、プリンタ機能と一体となったコピー機や複合機であってもよい。
【００５６】
例えば、上記各実施の形態では、発光素子が横１列に並ぶ構成を説明した。しかし、発光素子は、横に複数列に並ぶように配置されてもよい。
【図面の簡単な説明】
【００５７】
【図１】本発明の一実施の形態に係る光源装置を示す斜視図である。
【図２】図１に示す矢印Ａの方向で見た光源装置の図である。
【図３】光源装置の一部を示す平面図である。
【図４】光源装置が組み込まれたキャリッジを示す断面図である。
【図５】キャリッジを搭載した電子機器として、例えばスキャナ装置を示す斜視図である。
【図６】キャリッジ内の光学系の原理を示す図である。
【図７】ライトガイドを通る光線をシミュレーションにより表した図である。
【図８】本実施の形態に係る光源装置の照度分布特性を模式的に示した図である。
【図９】導光板の両端に発光素子がある場合の照度分布を模式的に示した図である。
【図１０】導光板の直下に複数の発光素子がある場合の照度分布を模式的に示した図である。
【図１１】従来のＣＣＦＬ及びＬＥＤによる初動時間をそれぞれ示すグラフである。
【図１２】本発明の他の実施の形態に係る光源装置であって、この光源装置を横から示す図である。
【図１３】図１２に示すライトガイドを通る光線をシミュレーションにより表した図である。
【図１４】シャッター部の機能を説明するための光源装置の図である。
【図１５】（Ａ）は、角度θ２が１５０°より大きく設定されたライトガイドを通る光線をシミュレーションにより表した図である。（Ｂ）は、角度θ２が１２０°より小さく設定されたシミュレーション図である。
【図１６】本発明のさらに別の実施の形態に係る光源装置の一部を示す平面図である。
【図１７】本発明のさらに別の実施の形態に係る光源装置の一部を示す平面図である。
【図１８】本発明のさらに別の実施形態に係る光源装置の一部を示す平面図である。
【図１９】（Ａ）は、図１８に示した光源装置の左側半分の照度分布を示す図である。（Ｂ）は、図３に示した光源装置の照度分布を示す図である。
【符号の説明】
【００５８】
θ１…角度（第１の角度）
θ２…角度（第２の角度）
２…発光素子
３、３３、４３、５３、６３…ライトガイド
４、３４…第１の側面、
４ａ、３４ａ…第１の反射面
４ｂ、３４ｂ…第２の反射面
５、３５…第２の側面
５ａ、３５ａ…第３の反射面
５ｂ、３５ｂ…第４の反射面
６、３６、４６…出射面
７、３７、４７、５７…入射面
９…導光部
１０、３０、５０、７０、９０…光源装置
１８…イメージセンサ
２２…照射対象物
３４ｃ…シャッター部
４６ａ…集光面
１００…スキャナ装置
【図１】
2008123766.tif 000003
【図２】
2008123766.tif 000004
【図３】
2008123766.tif 000005
【図４】
2008123766.tif 000006
【図５】
2008123766.tif 000007
【図６】
2008123766.tif 000008
【図８】
2008123766.tif 000009
【図９】
2008123766.tif 000010
【図１０】
2008123766.tif 000011
【図１２】
2008123766.tif 000012
【図１４】
2008123766.tif 000013
【図１６】
2008123766.tif 000014
【図１７】
2008123766.tif 000015
【図１８】
2008123766.tif 000016
【図７】
2008123766.tif 000017
【図１１】
2008123766.tif 000018
【図１３】
2008123766.tif 000019
【図１５】
2008123766.tif 000020
【図１９】
2008123766.tif 000021